(57)【要約】【課題】通常時および非常時を通じて低消費電力化を図るとともに、充電時の非常用電源の劣化を抑えることで非常用電源の寿命を延ばすことを目的とする。【解決手段】調光制御部９は、累積点灯時間の増加に伴う光源Ｌの光出力の低下を抑制するように、計時部８にて計時される累積点灯時間の増加に伴い点灯回路４から光源Ｌへの供給電力を増加させる初期照度補正を行う。当該初期照度補正によって、光源Ｌの点灯初期においては、非常時における非常用電源３からの放電電流を低く抑えることができ、非常点灯に必要な電気量を少なく抑えることができる。そこで、充電制御部１０は、光源Ｌの点灯初期には充電電流を低く抑え、その後、累積点灯時間の増加に伴って充電電流を増加させるように、計時部８にて計時される累積点灯時間に応じて充電回路５の出力を制御する充電出力補正を行う。【選択図】図１
2010033778.tif 000002
【特許請求の範囲】
【請求項１】
外部の常用電源の通電時に常用電源を電源として光源を点灯させる点灯回路と、充放電可能であって常用電源の停電時に点灯回路に電源を供給する非常用電源と、常用電源を電源として非常用電源に充電電流を流すことにより非常用電源を充電する充電回路と、光源の累積点灯時間を計時する計時部と、累積点灯時間の増加に伴う光源の光出力の低下を抑制するように、累積点灯時間の増加に伴って点灯回路から光源への供給電力を増加させる初期照度補正を行う調光制御部と、非常用電源に充電開始から所定時間で充電される電気量が累積点灯時間の増加に伴って増加するように、累積点灯時間に応じて充電回路の出力を変化させる充電出力補正を行う充電制御部とを備えることを特徴とする非常用照明装置。
【請求項２】
前記充電回路は前記非常用電源をトリクル充電し、前記充電制御部は、前記累積点灯時間の増加に対して前記初期照度補正による供給電力の変化と同じ変化率となるように充電電流の大きさを変化させることを特徴とする請求項１記載の非常用照明装置。
【請求項３】
前記充電回路は、前記非常用電源を所定の急速充電時間に亘って急速充電した後にトリクル充電し、前記充電制御部は、急速充電時における充電電流の大きさと、急速充電時間の長さと、トリクル充電時における充電電流の大きさとの少なくとも１つを制御することにより前記充電出力補正を行うことを特徴とする請求項１記載の非常用照明装置。
【請求項４】
前記充電回路は、前記非常用電源を所定の急速充電時間に亘って急速充電した後に、充電電流を流す充電期間と充電電流を流さない休止期間とを周期的に繰り返すことで間欠充電し、前記充電制御部は、急速充電時における充電電流の大きさと、急速充電時間の長さと、間欠充電時における充電電流の大きさと、間欠充電の周期との少なくとも１つを制御することにより前記充電出力補正を行うことを特徴とする請求項１記載の非常用照明装置。
【請求項５】
請求項１ないし請求項４のいずれか１項に記載の非常用照明装置と前記光源とを器具本体に組み込んだことを特徴とする非常用照明器具。
【発明の詳細な説明】
【技術分野】
【０００１】
本発明は、常用電源の停電時に非常用電源によって光源を点灯させる非常用照明装置および非常用照明器具に関するものである。
【背景技術】
【０００２】
建造物等に備え付けられる非常用照明器具には、商用電源等の常用電源の停電時（以下、非常時という）においてのみ光源が点灯するように構成されたもの（非常灯など）と、常用電源の通電時（以下、通常時という）および非常時のいずれにおいても光源が点灯するように構成されたもの（誘導灯など）とがある。なお、一般的には、前者は白熱電球を光源とし、後者は放電灯を光源とする。
【０００３】
後者の非常用照明器具に用いられる非常用照明装置１は、図１２に示すように、通常時に常用電源としての商用電源ＡＣから電力供給を受けて光源Ｌを点灯させる常用点灯回路４ａと、非常時に非常用電源３から電力供給を受けて光源Ｌを点灯させる非常点灯回路４ｂとを具備し、商用電源ＡＣからの通電状況を監視し、監視結果に応じて常用点灯回路４ａで光源Ｌを点灯させる常用点灯と、非常点灯回路４ｂで光源Ｌを点灯させる非常点灯とを切替手段１９にて切り替えるように構成される。また、この種の非常用照明装置１において、図１３に示すように１つの点灯回路４を通常時と非常時との両方で共用するものも知られている。
【０００４】
一方、放電灯を光源とする一般的な照明器具として、光源を点灯させるとともに光源への供給電力を制御可能な点灯回路と、この点灯回路への給電時間を光源の累積点灯時間として計時する計時部（累積点灯時間タイマ）と、計時部にて計時される累積点灯時間に応じて光源への供給電力を点灯回路へ指示する照度補正手段とを備え、累積点灯時間の増加に伴う光源の光出力の低下を抑制するように光源への供給電力の補正（以下、初期照度補正という）を行うものが提案されている（たとえば特許文献１参照）。この種の照明器具は、光源の点灯初期には光源への供給電力を低く抑え、累積点灯時間の増加に伴って光源への供給電力を増加させることにより、累積点灯時間の増加に伴う光源の光出力変化を抑制する。
【０００５】
ところで、上述の初期照度補正の技術を採用した非常用照明装置１も提案されている（たとえば特許文献２参照）。特許文献２に記載の非常用照明装置１は、通常時と非常時とを区別することなく光源Ｌの累積点灯時間を計時して初期照度補正を行うように構成され、光源Ｌの点灯初期における光源Ｌへの供給電力を抑制するので、光源Ｌの点灯初期においては通常時および非常時を通じて低消費電力化を図ることができる。さらに、光源Ｌの点灯初期には、非常時における非常用電源（バッテリ）３の出力が抑制され非常用電源３の劣化を抑えることができるという利点がある。
【特許文献１】特許第３８０９７４７号公報
【特許文献２】特開２００７−１７２９２１号公報
【発明の開示】
【発明が解決しようとする課題】
【０００６】
しかし、非常用照明装置１を実際に使用するにあたっては、光源Ｌの累積点灯時間に対して商用電源ＡＣが停電する非常時は僅かな時間であって、特許文献２に記載の発明では、光源Ｌの点灯初期において、放電時（つまり非常時）における非常用電源３の劣化防止に一応の効果はあるものの、非常用電源３の寿命への影響が大きい充電時（つまり通常時）における非常用電源３の劣化防止には効果が殆ど期待できない。
【０００７】
本発明は上記事由に鑑みて為されたものであって、通常時および非常時を通じて低消費電力化を図るとともに、充電時の非常用電源の劣化を抑えることで非常用電源の寿命を延ばすことができる非常用照明装置および非常用照明器具を提供することを目的とする。
【課題を解決するための手段】
【０００８】
請求項１の発明によれば、外部の常用電源の通電時に常用電源を電源として光源を点灯させる点灯回路と、充放電可能であって常用電源の停電時に点灯回路に電源を供給する非常用電源と、常用電源を電源として非常用電源に充電電流を流すことにより非常用電源を充電する充電回路と、光源の累積点灯時間を計時する計時部と、累積点灯時間の増加に伴う光源の光出力の低下を抑制するように、累積点灯時間の増加に伴って点灯回路から光源への供給電力を増加させる初期照度補正を行う調光制御部と、非常用電源に充電開始から所定時間で充電される電気量が累積点灯時間の増加に伴って増加するように、累積点灯時間に応じて充電回路の出力を変化させる充電出力補正を行う充電制御部とを備えることを特徴とする。
【０００９】
この構成によれば、調光制御部が、累積点灯時間の増加に伴う光源の光出力の低下を抑制するように、累積点灯時間の増加に伴って点灯回路から光源への供給電力を増加させる初期照度補正を行うから、光源の点灯初期における光源への供給電力を抑制することで、光源の点灯初期においては、通常時および非常時を通じて低消費電力化を図ることができる。また、充電制御部は、非常用電源に充電開始から所定時間で充電される電気量が累積点灯時間の増加に伴って増加するように、累積点灯時間に応じて充電回路の出力を変化させる充電出力補正を行うから、光源の点灯初期においては、非常用電源に所定時間で充電される電気量を少なく抑制することができ、非常用電源の劣化を抑えて非常用電源の寿命を延ばすことができる。
【００１０】
請求項２の発明は、請求項１の発明において、前記充電回路が前記非常用電源をトリクル充電し、前記充電制御部が、前記累積点灯時間の増加に対して前記初期照度補正による供給電力の変化と同じ変化率となるように充電電流の大きさを変化させることを特徴とする。
【００１１】
この構成によれば、充電回路が非常用電源をトリクル充電するので、非常用電源の自己放電による電気量の低下を防止することができる。また、充電制御部は、累積点灯時間の増加に対して初期照度補正による供給電力の変化と同じ変化率となるように充電電流の大きさを変化させるから、累積点灯時間の増加に伴う充電電流の変化率を初期照度補正と別に演算する必要はなく、充電出力補正のための処理が簡単になるという利点がある。
【００１２】
請求項３の発明は、請求項１の発明において、前記充電回路が、前記非常用電源を所定の急速充電時間に亘って急速充電した後にトリクル充電し、前記充電制御部が、急速充電時における充電電流の大きさと、急速充電時間の長さと、トリクル充電時における充電電流の大きさとの少なくとも１つを制御することにより前記充電出力補正を行うことを特徴とする。
【００１３】
この構成によれば、充電回路が非常用電源を急速充電した後にトリクル充電するので、トリクル充電のみを行う場合に比べて短時間で非常用電源に所望の電気量を充電可能としながらも、非常用電源の自己放電による電気量の低下をトリクル充電によって抑制することができる。また、この充電方式であっても、充電制御部は、急速充電時における充電電流の大きさと、急速充電時間の長さと、トリクル充電時における充電電流の大きさとの少なくとも１つを制御することにより充電出力補正を行うことができる。
【００１４】
請求項４の発明は、請求項１の発明において、前記充電回路が、前記非常用電源を所定の急速充電時間に亘って急速充電した後に、充電電流を流す充電期間と充電電流を流さない休止期間とを周期的に繰り返すことで間欠充電し、前記充電制御部が、急速充電時における充電電流の大きさと、急速充電時間の長さと、間欠充電時における充電電流の大きさと、間欠充電の周期との少なくとも１つを制御することにより前記充電出力補正を行うことを特徴とする。
【００１５】
この構成によれば、充電回路が非常用電源を急速充電した後に間欠充電するので、比較的短時間で非常用電源に所望の電気量を充電可能としながらも、非常用電源の自己放電による電気量の低下を間欠充電によって抑制することができる。また、この充電方式であっても、充電制御部は、急速充電時における充電電流の大きさと、急速充電時間の長さと、間欠充電時における充電電流の大きさと、間欠充電の周期との少なくとも１つを制御することにより充電出力補正を行うことができる。
【００１６】
請求項５の発明は、請求項１ないし請求項４のいずれか１項に記載の非常用照明装置と前記光源とを器具本体に組み込んだことを特徴とする。
【００１７】
この構成によれば、調光制御部が初期照度補正を行うから、光源として累積点灯時間の増加に伴う光出力の低下が生じやすいものを用いても、器具本体からは一定の光出力を取り出すことが可能となる。また、充電制御部が充電出力補正を行うことで、非常用電源の劣化を抑えて非常用電源の寿命を延ばすことができるので、非常用電源を器具本体から外して交換する頻度を低く抑えることができる。
【発明の効果】
【００１８】
本発明は、調光制御部が初期照度補正を行うことにより、光源の点灯初期においては通常時および非常時を通じて低消費電力化を図ることができ、また、充電制御部が充電出力補正を行うことにより、光源の点灯初期においては、非常用電源に所定時間で充電される電気量を少なく抑制することで、非常用電源の劣化を抑えて非常用電源の寿命を延ばすことができるという利点がある。
【発明を実施するための最良の形態】
【００１９】
（実施形態１）
本実施形態の非常用照明装置１は、図１に示すように常用電源としての商用電源ＡＣからの電力供給時（以下、通常時という）に商用電源ＡＣを整流・平滑・降圧する電源回路２と、充放電が可能であって商用電源ＡＣの停電時（以下、非常時という）に電源として機能する非常用電源３と、電源回路２と非常用電源３とのいずれかからの電力供給を受けて光源Ｌを点灯させる点灯回路４とを備える。さらにこの非常用照明装置１には、非常用電源３を充電するための充電回路５と、点灯回路４および充電回路５の出力を制御する制御手段６と、後述の停電検出手段７および切替手段が備わっている。ここでは、光源Ｌとして冷陰極蛍光灯を採用する。
【００２０】
点灯回路４は、直流電圧を交流電圧に変換して光源Ｌに印加することで光源Ｌを点灯させるインバータ回路からなるものであって、通常時には電源回路２からの直流電圧を電源として光源Ｌを点灯させ、非常時には非常用電源３からの直流電圧を電源として光源Ｌを点灯させる。
【００２１】
ここにおいて、商用電源ＡＣからの通電状態は、電源回路２の出力を監視する停電検出手段７によって監視されている。そして、商用電源ＡＣを電源とする常用点灯と非常用電源３を電源とする非常点灯との切り替えは、電源回路２−点灯回路４間に挿入されたスイッチ素子Ｓ１と、非常用電源３−点灯回路４間に挿入されたスイッチ素子Ｓ２とからなる切替手段によって行われる。すなわち、通常時にはスイッチ素子Ｓ１をオン、スイッチ素子Ｓ２をオフとして、商用電源（電源回路２）ＡＣから点灯回路４へ電力供給を行って光源Ｌを常用点灯させる。一方、停電検出手段７で商用電源ＡＣの停電が検出されたとき（非常時）には、スイッチ素子Ｓ１をオフ、スイッチ素子Ｓ２をオンとして、非常用電源３から点灯回路４へ電力供給を行って光源Ｌを非常点灯させる。
【００２２】
充電回路５は、通常時において、電源回路２からの電力供給を受けて非常用電源３に充電電流を流し、非常用電源３を充電するように構成される。ここでは、非常用電源３としてニッケルカドミウム電池やニッケル水素電池などの二次電池（バッテリ）を用いることとするが、充放電が可能であれば特に二次電池に限定されるものではなく、たとえば電気二重層コンデンサのようなものであってもよい。
【００２３】
制御手段６は、点灯回路４への給電時間の累積値を光源Ｌの累積点灯時間として計時する計時部８と、点灯回路４の出力を制御することで光源Ｌの光出力を制御する調光制御部９と、充電回路５の出力を制御する充電制御部１０とを有している。ここに、計時部８は通常時と非常時とを区別することなく累積点灯時間を計時する。
【００２４】
調光制御部９は、累積点灯時間の増加に伴う光源Ｌの光出力の低下を抑制するように、計時部８にて計時される累積点灯時間に応じて光源Ｌへの供給電力の補正（以下、初期照度補正という）を行う。充電制御部１０は、計時部８にて計時される累積点灯時間に応じて、初期照度補正と連動させるように充電回路５の出力を補正（以下、充電出力補正という）する。初期照度補正および充電出力補正の詳細については後述する。
【００２５】
ところで、本実施形態の非常用照明装置１を用いる非常用照明器具の代表的なものとして、消防法でビル等への設置が義務付けられている誘導灯がある。誘導灯は所定の絵柄が描かれた表示板１２（図１１参照）を備えており、光源Ｌからの光を表示板１２に透過させて表示板１２の表面（以下、表示面という）を光らせるように構成される。ここで、表示面の平均輝度は誘導灯の等級や絵柄ごとに工業会で規格値が定められており、当該規格値を満たすように光源Ｌの光出力が設定される。図２には、一例として避難口誘導灯を構成する非常用照明器具Ａ（図１１参照）の規格値を示すが、この例では通常時と非常時とで表示面平均輝度の規格値が異なっている。また、通常時および非常時のいずれにおいても、上限値と下限値との双方の規格値が定められており、下限値を下回っても（つまり、暗すぎても）、上限値を上回っても（つまり、明るすぎても）規格を満たしていないことになるので、光源Ｌの光出力は適正な値に設定する必要がある。
【００２６】
この光出力（輝度）の調節は、図１に示す制御手段６の調光制御部９にて点灯回路４の出力を制御することによって行う。なお、通常時と非常時とで光源Ｌの光出力を変化させる場合（たとえば、図２におけるＡ級やＢ級ＢＨ形の場合）には、通常時と非常時とのそれぞれにおいて所定の光出力となるように調光制御部９で調光制御を行う。
【００２７】
以下、初期照度補正について図３ないし図５を参照して説明する。これらの図では、上述したＣ級の避難口誘導灯を一例とするが、図中に示した数値は一例に過ぎず、本発明の適用を限定する趣旨ではない。
【００２８】
まず、参考例として、初期照度補正を行わない場合における通常時の表示面平均輝度を図３に示す。図３では横軸は光源Ｌの累積点灯時間、縦軸は表示面平均輝度を表している。すなわち、光源Ｌはその累積点灯時間の増加に伴って光出力が次第に低下するので、表示面平均輝度は、光源Ｌの累積点灯時間の増加に伴い図３に示すように次第に低下することになる。なお、図３においては、累積点灯時間が光源Ｌの定格寿命（ここでは６万時間）に達した時点で表示面平均輝度が初期値の８０％にまで低下する例を示しており、光源Ｌの点灯開始直後に、通常時の規格値である１５０〜３００ｃｄ／ｍ２に対して上限寄りの２５０ｃｄ／ｍ２が得られるように点灯回路４の出力設計をすることで、光源Ｌの定格寿命到達時に初期値の８０％にまで平均輝度が低下しても、上記規格値内の２００ｃｄ／ｍ２が得られている。
【００２９】
また、Ｃ級の避難口誘導灯における非常時の表示面平均輝度の規格値は１００〜３００ｃｄ／ｍ２であるため、非常時においても通常時と同じ２５０ｃｄ／ｍ２を初期値に設定することで、光源Ｌの定格寿命到達時に初期値の８０％にまで平均輝度が低下しても、上記規格値内（２００ｃｄ／ｍ２）に収めることができる。なお、通常時に対する非常時の光出力比はこの例に限定されるものではなく、図２に示す表示面平均輝度を満足するように通常時と非常時とのそれぞれに関して光源Ｌの光出力を適宜設定すればよい。
【００３０】
ここにおいて、本実施形態では、調光制御部９は、上述した初期照度補正を行うことにより、図４に示すように光源Ｌの点灯初期には光源Ｌを全点灯（定格点灯）させずに調光点灯させ、その後、累積点灯時間の増加に伴って調光比が徐々に高くなるように光源Ｌへの供給電力を増加させる。これにより、点灯初期から光源Ｌの定格寿命末期にかけて光源Ｌの光出力を略一定に保つことができる。図４では横軸は光源Ｌの累積点灯時間、縦軸は出力比（調光比）を表している。すなわち、点灯初期には、定格寿命到達時の輝度減衰に相当する８０％の出力に点灯回路４を制御し、定格寿命到達時には１００％となるように初期照度補正を行う。初期照度補正に関しては、上述した特許文献１に記載されているものと同様であるから、ここでは詳しい説明を省略する。
【００３１】
本実施形態では、このような初期照度補正を通常時と非常時とのいずれにおいても行っており、図５に示すように光源Ｌの累積点灯時間の増加にかかわらず、表示面平均輝度を初期値とほぼ同等の値に維持する。なお、図５では横軸が光源Ｌの累積点灯時間、縦軸が表示面平均輝度を表し、初期照度補正前の値を破線、初期照度補正後の値を実線で表している。したがって、点灯初期には、通常時および非常時を通じて低消費電力化を図るとともに、非常時において非常用電源３の出力を抑制することで非常用電源３の劣化を防止し、光源Ｌを長時間点灯させることができる。
【００３２】
ところで、誘導灯などの非常用照明器具に関しては、工業会の技術基準で、非常用電源３の充放電性能が定められている。たとえば上述した誘導灯の場合、２４時間の充電によって２５分以上光源Ｌを点灯（非常点灯）させることが必要とされる。要するに、非常点灯に必要な電気量を充電開始から所定時間内に充電する必要があるため、充電電流の大きさは放電電流の大きさに応じて設定されることになる。
【００３３】
ここに、上述した初期照度補正によって、非常時における光源Ｌの光出力を図４に示すように補正することで、非常用電源３からの放電電流特性は図６に示すように点灯初期から徐々に増加することとなる。なお、図６では横軸が光源Ｌの累積点灯時間、縦軸が放電電流を表している。つまり、光源Ｌの点灯初期においては、非常時における非常用電源３からの放電電流を低く抑えることができ、非常点灯に必要な電気量を少なくなる。これにより、非常用電源３に充電開始から所定時間で充電される電気量は、光源Ｌの点灯初期には非常用電源３が満充電に達しない程度に少なく抑えることができ、通常時に非常用電源３に供給される充電電流に関しても点灯初期には低く抑えることができる。そこで、充電制御部１０は、図７に示すように点灯初期には充電電流を低く抑え、その後、累積点灯時間の増加に伴って充電電流を増加させるように、上記充電出力補正を行う。
【００３４】
非常用電源３の充電電流を低く抑えれば、充電時における非常用電源３の自己発熱を抑えることができるので、非常用照明装置１の実際の使用時間の大半を占める通常時において、非常用電源３の温度を低く抑えることができる。ここに、非常用電源３として用いられるニッケルカドミウム電池やニッケル水素電池などの二次電池は、その寿命が一般的にアレニウスの法則に従うことが知られており、非常用電源３の温度を１０℃下げることで、寿命を約２倍に延ばすことができる。つまり、充電出力補正によって点灯初期の充電電流を低く抑えることは、非常用電源３の寿命を延ばすことにつながるのである。
【００３５】
本実施形態では、非常用電源３の充電に、非常用電源３のようなバックアップ電源の充電方式として一般的であるトリクル充電を採用している。トリクル充電は、通常時において負荷（ここでは点灯回路４）を非常用電源３から切り離した状態で、図８に示すように非常用電源３に微小電流を連続的に流すことにより充電する方式である。図８では横軸が非常用電源３の充電時間、縦軸が充電電流を表している。ここで、充電制御部１０は、光源Ｌの点灯初期は充電電流を小さく（図８の例では２０ｍＡ）抑え、累積点灯時間の増加に伴い充電電流を所定値（図８の例では２４ｍＡ）にまで増加させる充電出力補正を行う。つまり、充電電流は、図８に実線で示す光源Ｌの点灯初期の状態（充電出力補正有りの状態）から、累積点灯時間に応じて破線で示す所定値（充電出力補正なしの状態）にまで増加するように補正制御される。
【００３６】
しかして、図８の例では、充電開始から所定時間（２４時間）で非常用電源３に蓄積される電気量（図中斜線部の面積に相当）、つまり非常点灯に必要な電気量は、光源Ｌの点灯初期においては非常用電源３が満充電に達しない程度の値である４８０ｍＡｈ（２０ｍＡ×２４時間）であって、累積点灯時間の増加に伴い５７６ｍＡｈ（２４ｍＡ×２４時間）にまで増加する。なお、ここでは、累積点灯時間の増加に対する充電電流の変化率は、初期照度補正による点灯回路４の出力の変化率と同じ変化率としてある。
【００３７】
また、非常用照明装置１全体で見れば、光源Ｌの点灯初期においては、初期照度補正によって点灯回路４や電源回路２の消費電力が低く抑えられているため、各回路の温度は低くなる。つまり、非常用電源３の周囲温度が低く抑えられることになるので、上述した非常用電源３の自己発熱抑制との相乗効果によって、非常用電源３の寿命を大幅に延ばすことが可能となる。
【００３８】
なお、光源Ｌは、累積点灯時間の増加によって光出力が減衰するものであればよいのであって、冷陰極蛍光灯に特に限定されるものではなく、たとえば熱陰極蛍光灯やＬＥＤ（発光ダイオード）などであってもよい。いずれの場合でも、光源Ｌの累積点灯時間の増加に伴う光出力の減衰特性（図３に相当）に合わせて、照度補正カーブ（図４に相当）を設定すれば、上述した例と同等の効果を得ることができる。
【００３９】
（実施形態２）
本実施形態の非常用照明装置１は、非常用電源３の充電方式並びに充電出力補正方法が実施形態１の非常用照明装置１と相違する。
【００４０】
本実施形態では、図９に示すように急速充電とトリクル充電とを組み合わせた充電方式を採用する。図９では横軸が非常用電源３の充電時間、縦軸が充電電流を表している。この充電方式は、同じ電気量を充電する場合にはトリクル充電のみを行う場合に比べて充電開始から充電完了までの時間が短く、また、トリクル充電時において非常用電源３の温度を低く抑えることができるという利点がある。
【００４１】
図９の例では、充電回路５が、非常点灯に必要な電気量を非常用電源３に短時間で充電するために、充電開始から所定の急速充電時間はトリクル充電時よりも大きい充電電流を流す急速充電モードで動作し、急速充電時間の経過後は、非常用電源３の自己放電による残容量低下分を補うだけの微小電流でトリクル充電を行うトリクル充電モードに移行する充電方式（いわゆる段別充電方式）を示している。ここに、実施形態１で示した図８の例では、光源Ｌの点灯初期において、非常点灯に必要な電気量（図中斜線部の面積に相当）は４８０ｍＡｈ（２０ｍＡ×２４時間）としてあるが、図９では同じ電気量を半分の充電時間（１２時間）で得るために、急速充電モード時の充電電流を図８の場合の２倍（４０ｍＡ）に設定している。また、ここでは、急速充電後のトリクル充電における充電電流を５ｍＡとして説明しているが、非常用電源３の性能によって適切な充電電流が異なるため、充電電流の値は非常用照明装置１の仕様に合わせて適宜設定すればよい。
【００４２】
ここに、図９の充電方式における充電出力補正の内容は、図８の例と同様にトリクル充電時における充電電流の大きさを制御するようにしてもよいが、急速充電モードにおける充電電流の大きさや充電時間の長さ（つまり急速充電時間の長さ）を制御するようにしてもよい。図９では光源Ｌの点灯初期の状態（充電出力補正有りの状態）を実線で表しており、上述した充電電流、充電時間のいずれかが、光源Ｌの累積点灯時間に応じて破線で表す所定値（充電出力補正なしの状態）にまで増加するように補正制御される。ここで、非常用照明装置１の仕様に応じて、非常用電源３の温度を低く抑えることができる最良の補正方法を選択することにより、非常用電源３の寿命を延ばすとともに、低消費電力（省エネルギ）化を図ることができる。
【００４３】
また、本実施形態の他の例として、図１０に示すように急速充電と間欠充電とを組み合わせた充電方式を採用することも考えられる。図１０では横軸が非常用電源３の充電時間、縦軸が充電電流を表している。この充電方式は、非常用電源の自己放電による残容量低下分を補うための充電（補充電）を、トリクル充電ではなく間欠的に充電電流を流す間欠充電方式としたことで、急速充電とトリクル充電とを組み合わせた段別充電方式に比べて、補充電時における消費電力を低く抑え、非常用電源３の温度を低く抑えることができる。
【００４４】
図１０の例では、充電回路５が、非常用電源３を短時間で充電するために充電開始から所定の急速充電時間は充電電流を連続的に供給する急速充電モードで動作し、急速充電時間の経過後は、非常用電源３の自己放電による残容量低下分を補うために充電電流を間欠的に供給する間欠充電モードに移行する充電方式を示している。つまり、間欠充電モードで動作中には、非常用電源３に充電電流を流す充電期間と、充電電流を流さない休止期間とが周期的に繰り返される。なお、自己放電が少ない非常用電源３であれば、図８や図９の例のようにトリクル充電を行う期間がなくても、非常時に必要な放電電気量を長時間に亘って確保することができる。
【００４５】
図１０の充電方式における充電出力補正の内容は、急速充電モードにおける充電電流の大きさや充電時間の長さ（つまり急速充電時間の長さ）を制御するようにしてもよいが、間欠充電モードにおける充電電流の大きさや充電期間の長さや間欠周期（つまり充電電流を流す周期）を制御するようにしてもよい。図１０では光源Ｌの点灯初期の状態（充電出力補正有りの状態）を実線で表しており、上述した充電電流、充電時間、間欠周期のいずれかが、累積点灯時間に応じて破線で表す所定値（充電出力補正なしの状態）にまで変化するように補正制御される。ここで、非常用照明装置１の仕様に応じて、非常用電源３の温度を低く抑えることができる最良の補正方法を選択することにより、非常用電源３の寿命を延ばすとともに、低消費電力（省エネルギ）化を図ることができる。
【００４６】
その他の構成および機能は実施形態１と同様である。
【００４７】
ところで、上記各実施形態に示す非常用照明装置１は、図１１に示すように光源Ｌと共に器具本体１１に組み込まれることにより、非常用照明器具（ここでは建造物の非難口の場所を知らせる誘導灯）Ａを構成する。以下に、図１１に示す非常用照明器具Ａについて簡単に説明する。
【００４８】
この非常用照明器具Ａは、前面開口の矩形箱状の器具本体１１と、矩形状の表示板１２および表示板１２の背面側に配設され一端面から入射した光を表示板１２に導光する矩形状の導光板（図示せず）を有し器具本体１１の前面に取り付けられる表示ユニット１３と、導光板の前記一端面に対向配置される光源（ここでは直管形の冷陰極蛍光灯）Ｌを保持するランプホルダ１４を有し表示ユニット１３と共に器具本体１１の前面を覆う形で器具本体１１に取り付けられる光源ユニット１５とを備えている。器具本体１１と表示ユニット１３との間には、非常用照明装置１を構成する電源回路２や点灯回路４等を含む点灯ブロック１６と、非常用電源３と、端子台１７とが収容される。さらに、器具本体１１の上端部には光源ユニット１５を電気的に接続するためのコネクタ１８が設けられている。この非常用照明器具Ａは、導光板に入射した光源Ｌからの光が導光板の前面の略全域から前方に出射されるので、表示板１２の前面（表示面）の全域をむらなく発光させることができる。
【図面の簡単な説明】
【００４９】
【図１】本発明の実施形態１の構成を示す概略回路図である。
【図２】同上の説明に用いる表示面平均輝度の工業会規格の説明図である。
【図３】同上の参考例の表示面平均輝度を示すグラフである。
【図４】同上の点灯回路の出力を示すグラフである。
【図５】同上の表示面平均輝度を示すグラフである。
【図６】同上の非常用電源の放電電流を示すグラフである。
【図７】同上の非常用電源の充電電流を示すグラフである。
【図８】同上の充電電流を示す説明図である。
【図９】本発明の実施形態２における充電電流を示す説明図である。
【図１０】同上の他の例における充電電流を示す説明図である。
【図１１】本発明の非常用照明器具を示す分解斜視図である。
【図１２】従来例を示す概略回路図である。
【図１３】他の従来例を示す概略回路図である。
【符号の説明】
【００５０】
１  非常用照明装置
３  非常用電源
４  点灯回路
５  充電回路
８  計時部
９  調光制御部
１０  充電制御部
１１  器具本体
Ａ  非常用照明器具
ＡＣ  商用電源（常用電源）
Ｌ  光源
【図１】
2010033778.tif 000003
【図２】
2010033778.tif 000004
【図３】
2010033778.tif 000005
【図４】
2010033778.tif 000006
【図５】
2010033778.tif 000007
【図６】
2010033778.tif 000008
【図７】
2010033778.tif 000009
【図８】
2010033778.tif 000010
【図９】
2010033778.tif 000011
【図１０】
2010033778.tif 000012
【図１１】
2010033778.tif 000013
【図１２】
2010033778.tif 000014
【図１３】
2010033778.tif 000015